(57)【要約】【課題】カーテンを束ねるという房掛けの本来の機能が高く、しかも見栄えの良さ及び安全性を確保することのできるマグネット房掛けを提供する。【解決手段】マグネット房掛け６は、カーテンを束ねて保持するためのタッセル２の一方側端２Ａに取り付けられる第１本体部６Ａと、当該タッセル２の他方側端２Ｂに取り付けられる第２本体部６Ｂを備えたマグネット房掛けであって、第１本体部６Ａと第２本体部６Ｂの対向する面側には、磁力によって当該第１本体部６Ａと当該第２本体部６Ｂを一体に保持するマグネット７Ａ、７Ｂと、タッセル２の端部２Ａ、２Ｂを掛止する掛止部８Ａ、８Ｂがそれぞれ設けられ、タッセル２でカーテン１を束ねた状態で第１本体部６Ａと第２本体部６Ｂをマグネット７Ａ、７Ｂの磁力で一体に保持しつつ、タッセル２に所定の力が加わった場合には第１本体部６Ａと第２本体部６Ｂが離脱するようにされる。【選択図】図１
2020031703.tif 000002
【特許請求の範囲】
【請求項１】
カーテンを束ねて保持するためのタッセルの一方側端に取り付けられる第１本体部と、当該タッセルの他方側端に取り付けられる第２本体部６Ｂを備え、
前記第１本体部と前記第２本体部６Ｂの対向する面側には、磁力によって当該第１本体部と当該第２本体部６Ｂを一体に保持するマグネットと、前記タッセルの端部を掛止する掛止部がそれぞれ設けられ、
前記タッセルで前記カーテンを束ねた状態で前記第１本体部と前記第２本体部６Ｂを前記マグネットの磁力で一体に保持しつつ、前記タッセルに所定の力が加わった場合には前記第１本体部と前記第２本体部６Ｂが離脱するようにされたことを特徴とするマグネット房掛け。
【請求項２】
請求項１に記載のマグネット房掛けにおいて、
前記掛止部は、掛止した前記タッセルの端部が容易に外れないよう脱落防止手段が設けられていることを特徴とするマグネット房掛け。
【請求項３】
請求項１又は２に記載のマグネット房掛けにおいて、
前記第１本体部に設けられた第１掛止部と前記第２本体部に設けられた第２掛止部は、互いに位置をずらして配置されていることを特徴とするマグネット房掛け。
【請求項４】
請求項１から３のいずれか１項に記載のマグネット房掛けにおいて、
前記第１掛止部又は前記第２掛止部の少なくとも一方側には、他方側である第２掛止部又は前記第１掛止部の移動を案内する案内部が設けられていることを特徴とするマグネット房掛け。
【請求項５】
請求項１から４のいずれか１項に記載のマグネット房掛けにおいて、
前記第１本体部又は前記第２本体部６Ｂのいずれか一方には、相手方となる第２本体部６Ｂ又は第１本体部が所定の位置に保持されるように位置決めする位置決め部が設けられていることを特徴とするマグネット房掛け。
【請求項６】
請求項５に記載のマグネット房掛けにおいて、
前記第１掛止部及び／又は前記第２掛止部の互いに向かい合う面側の角部にはアールが設けられていることを特徴とするマグネット房掛け。
【発明の詳細な説明】
【技術分野】
【０００１】
本発明は、マグネット房掛けに関し、さらに詳しくは、カーテンを束ねた状態に保持するためのタッセルに取り付けられ、当該タッセルに必要以上の荷重が加わった場合にタッセルが外れるようにされたマグネット房掛けに関する。
【背景技術】
【０００２】
部屋の窓等に取り付けられているカーテン１を開いた場合には、図７に示すように、タッセル（tassel：房飾り）２によって束ねられ、壁等に取り付けられた房掛け３に掛止されて保持される。そして、カーテン１を束ねるためのタッセル２は、一般に帯状のものやロープ状のものが使用される。
【０００３】
房掛け３は、金属製又は樹脂製、或いは木製等の各種の材料によって形成されており、一般的な房掛け３としては、例えば図７に示すように、窓際の壁に取り付けられる縦長形状の本体３ａと、本体３ａから突設するようにして固定される略Ｌ字形状をした引掛部材３ｃとを備え、本体３ａの上下には壁面にネジ等で固定するための一対のネジ孔３ｂを有して構成されている。
【０００４】
房掛け３は、本体３ａがカーテン１の高さ方向の略中間の高さ位置の窓の両側の壁面のそれぞれに図示しないネジによって固定されている。そして、使用者はカーテン１を片側端へ、あるいはカーテン１が両開きの場合は両側端へ集め、房掛け３の引掛部材３ｃにタッセル２の一端を掛止すると共に束ねられたカーテン１を取り巻くようにぐるりと沿わせようにしてタッセル２の他端を引掛部材３ｃに係着させる。この状態が図７である。
【０００５】
ところで、図７の状態において、カーテン１の近くで小さな子供が遊んでいた場合、タッセル２が子供の首に巻き付くなどして思わぬ事故を招くおそれがある。このような事故に対処できるようにした房掛金具としては、例えば特許文献１が提案されている。この特許文献１に示す房掛金具は、引掛部材を固定側金具に対して回動できるようにしておき、引掛部材はカーテンの房の一端が頭部側に係着し、他端が底部側に係着する構成とし、その引掛頭部が房によって水平方向に強く引っ張られた際、引掛頭部及び引掛部材が回動して房の係着部が引掛頭部から外れて自由になり、引張力が引掛部材に加わらなくなった時点で引掛部材が元の位置に復帰するようにしたものである。
【０００６】
また、図８（ａ），（ｂ）に示す「チャイルドセーフティータッセル」や図９に示す「チャイルドセーフティー房掛」も市販されている。図８のタッセル及び図９に示す房掛けは、いずれも立川ブラインド工業株式会社から販売されている（２０１４年４月のカタログに掲載）。図８のチャイルドセーフティータッセル４は、同図（ａ）に示すようにロープ４ａ，４ａの両端に球状体４ｃ，４ｃを設け、それぞれにマグネット４ｂ，４ｂを内蔵して構成されたアクセサリー部４０を備え、タッセル２が水平方向に強い引張力（例えば、６ｋｇの力）が加わった場合に、同図（ｂ）に示すようにマグネット４ｂ，４ｂの磁力によって引き寄せられていた球状体４ｃ，４ｃが開いてロープ４ａ，４ａの両端が自由になるというものである。
【０００７】
さらに、図９のチャイルドセーフティー房掛５は、縦長形状の本体５ａと、本体５ａに対して上下方向に回動可能に下端が軸支された可動部材５ｂによって構成されている。このチャイルドセーフティー房掛５においては矢印Ａ方向に強い引張力（荷重）が加わると、可動部材５ｂが矢印Ｂ方向に回動し、タッセル２の一端が可動部材５ｂから解放される。そしてタッセル２が外れると、内蔵されているスプリングの付勢力によって可動部材５ｂは元の縦位置に復帰し、本来のチャイルドセーフティー房掛５の形状になるというものである。
【先行技術文献】
【特許文献】
【０００８】
【特許文献１】特開２００７−２５２４５９号公報
【発明の概要】
【発明が解決しようとする課題】
【０００９】
しかし、特許文献１の房掛金具は構成が複雑になり見栄えの面で劣る可能性がある。また、図８に示す「チャイルドセーフティータッセル」は、図７に示す従来構成の房掛け３をそのまま利用するものであり、引掛部材３ｃが子供の体に接触して怪我する虞がある。さらに、図９に示す「チャイルドセーフティー房掛」によると、タッセルが引っ張られて可動部材５ｂが横倒しになると内蔵されているスプリングの弾性力で可動部材５ｂが縦位置に復帰するが、その際に子供等の顔や手等の人体に接触した場合には思わぬ怪我を招くおそれがある。また、図７に示す房掛け３又は図８に示す「チャイルドセーフティータッセル」をはじめとする従来の房掛けは、基本的には壁面に固定されたＬ字状の引掛部材３ｃに上からループ状の紐（タッセル２の一端又はロープ４）を上から引っ掛けているに過ぎないので、子供等の体重が掛かるような危険な状況でなかったとしても、下側から持ち上げるだけで簡単に当該ループ状の紐（タッセル２の一端又はロープ４）を房掛けから外すことができ、例えば掃除中に掃除機がカーテン１の裾に触れるなどした場合に誤って外れることもあり、カーテン１を束ねるという房掛け本来の機能は必ずしも高くはなかった。さらに図８に示す「チャイルドセーフティータッセル」は、カーテン１に附属するタッセル２の代わりにカーテン１とは別途に用意されたロープ４を使用するので、カーテン１のデザイナーが意図していた当初の統一感が損なわれる虞があった。
【００１０】
そこで、本発明は、かかる問題点に鑑みなされたもので、カーテンを束ねるという房掛けの本来の機能が高く、しかも見栄えの良さ及び安全性を確保することのできるマグネット房掛けを提供することを目的とする。
【課題を解決するための手段】
【００１１】
上記課題を解決するために請求項１に記載の発明は、カーテンを束ねて保持するためのタッセルの一方側端に取り付けられる第１本体部と、当該タッセルの他方側端に取り付けられる第２本体部を備えたマグネット房掛けであって、前記第１本体部と前記第２本体部の対向する面側には、磁力によって当該第１本体部と当該第２本体部を一体に保持するマグネットと、前記タッセルの端部を掛止する掛止部がそれぞれ設けられ、前記タッセルで前記カーテンを束ねた状態で前記第１本体部と前記第２本体部を前記マグネットの磁力で一体に保持しつつ、前記タッセルに所定の力が加わった場合には前記第１本体部と前記第２本体部が離脱するようにされたことを特徴とする。
【００１２】
上記課題を解決するために請求項２に記載の本発明は、請求項１に記載のマグネット房掛けにおいて、前記掛止部は、掛止した前記タッセルの端部が容易に外れないよう脱落防止手段が設けられていることを特徴とする。
【００１３】
上記課題を解決するために請求項３に記載の本発明は、請求項１又は２に記載のマグネット房掛けにおいて、前記第１本体部に設けられた第１掛止部と前記第２本体部に設けられた第２掛止部は、互いに位置をずらして配置されていることを特徴とする。
【００１４】
上記課題を解決するために請求項４に記載の本発明は、請求項１から３のいずれか１項に記載のマグネット房掛けにおいて、前記第１掛止部又は前記第２掛止部の少なくとも一方側には、他方側である第２掛止部又は前記第１掛止部の移動を案内する案内部が設けられていることを特徴とする。
【００１５】
上記課題を解決するために請求項５に記載の本発明は、請求項１から４のいずれか１項に記載のマグネット房掛けにおいて、前記第１本体部又は前記第２本体部のいずれか一方には、相手方となる第２本体部又は第１本体部が所定の位置に保持されるように位置決めする位置決め部が設けられていることを特徴とする。
【００１６】
上記課題を解決するために請求項６に記載の本発明は、請求項５に記載のマグネット房掛けにおいて、前記第１掛止部及び／又は前記第２掛止部の互いに向かい合う面側の角部にはアールが設けられていることを特徴とする。
【発明の効果】
【００１７】
先ず、本発明に係るマグネット房掛けの使用に当たり、第１本体部及び第２本体部の一方（ここでは第１本体部と仮定する。）は壁面に固定され、当該第１本体部の掛止部にタッセルの一端が掛止され、当該タッセルの他端に第２本体部の掛止部が掛止される。
【００１８】
次に、カーテンをタッセルで束ねるに当たり、使用者は第２本体部を手でつまんでタッセルでカーテンを取り巻くようにしてから当該第２本体部を壁側の第１本体部へ磁力で接着させる。この磁力によって、カーテンを束ねた状態は容易に維持される。また、束ねる際に第２本体部は磁力によって第１本体部の側へ引き寄せされるので、第２本体部と第１本体部との位置合わせ（装着）は容易である。
【００１９】
そして、カーテンをタッセルで束ねた状態では、第１本体部と第２本体部との対向する面に両者の掛止部が位置するので、いずれかの掛止部に人の衣服が引っ掛かったり子供の顔や手等が接触したりする事故を防ぐことができる。またタッセルに所定の荷重（例えば、カーテンを束ねるために必要な荷重を超過した、いわゆる必要以上の荷重）がかかると第１本体部と第２本体部とが容易に分離されるので、タッセルが子供の首に巻き付いても安全を維持できる。
【００２０】
また、カーテンをタッセルで束ねていない状態では、第１本体部及び第２本体部における掛止部の形成面が露出する可能性もあるが、これらの掛止部からタッセルを外す必要は基本的にないので、図７の引掛部材のように掛止部を突出させる必要がない。このため露出した掛止部へ子供が接触するなどして怪我する可能性も容易に抑えられる。
【００２１】
また、本発明に係るマグネット房掛けは、タッセルの代わりに用いられるのではなく、あくまでもタッセルに外付けするものなので、例えばカーテンと共布で構成されたタッセルや、カーテンの雰囲気に合ったタッセルなどを有効利用することができ、カーテンとタッセルの統一感を損なうことがない。
【００２２】
従って、本発明に係るマグネット房掛けによれば、カーテンを束ねるという房掛けの本来の機能が高く、しかも見栄えの良さ及び安全性を確保することができる。
【図面の簡単な説明】
【００２３】
【図１】図１は、本実施形態に係るマグネット房掛けをタッセルに取り付けた状態を示す斜視図である。
【図２】図２（ａ）は、第１本体部を壁面に固定した状態におけるマグネット房掛けの断面図、図２（ｂ）は、第１本体部を壁面に固定した状態におけるマグネット房掛けの正面図である。
【図３】図３（ａ）は、カーテンを束ねる直前におけるマグネット房掛けの断面図、図３（ｂ）は、カーテンを束ねた状態におけるマグネット房掛けの断面図である。
【図４】図４（ａ）は、第１本体部の斜視図、図４（ｂ）は第２本体部６Ｂの斜視図、図４（ｃ）は、カーテンを束ねた状態におけるマグネット房掛けの斜視図である。
【図５】図５は、本実施形態に係るマグネット房掛けの使用状態を示す斜視図である。
【図６】図６は、本実施形態に係るマグネット房掛けの変形例を示す斜視図である。
【図７】図７は、従来の房掛けの使用状態を示す斜視図である。
【図８】図８（ａ）は、安全性を考慮した従来のタッセルの構成例を示す正面図、図８（ｂ）はその使用状態を示す斜視図である。
【図９】図９は、安全性を考慮した従来の房掛けの構成例を示す斜視図である。
【発明を実施するための形態】
【００２４】
［マグネット房掛けの構成］
以下、本発明に係るマグネット房掛けについて、好ましい一実施形態に基づいて詳細に説明する。図１は本実施形態に係るマグネット房掛けをタッセルに取り付けた状態を示す斜視図、図２（ａ）は第１本体部を壁面に固定した状態におけるマグネット房掛けの断面図、図２（ｂ）は第１本体部を壁面に固定した状態におけるマグネット房掛けの正面図、図３（ａ）はカーテンを束ねる直前におけるマグネット房掛けの断面図、図３（ｂ）はカーテンを束ねた状態におけるマグネット房掛けの断面図、図４（ａ）は第１本体部の斜視図、図４（ｂ）は第２本体部６Ｂの斜視図、図４（ｃ）はカーテンを束ねた状態におけるマグネット房掛けの斜視図、図５は本実施形態に係るマグネット房掛けの使用状態を示す斜視図である。
【００２５】
［マグネット房掛けの構成］
先ず、マグネット房掛け６の構成について説明する。図示されるとおりマグネット房掛け６は、概略として、カーテン１を束ねて保持するためのタッセル２の一方側端に取り付けられる第１本体部６Ａと、当該タッセル２の他方側端に取り付けられる第２本体部６Ｂとを備える。これらの第１本体部６Ａ及び第２本体部６Ｂの材質は例えばＡＢＳ等の樹脂であって、第１本体部６Ａ及び第２本体部６Ｂは弾力を有した部材である必要はない。
【００２６】
第１本体部６Ａのうち第２本体部６Ｂの対向する面側には、磁力によって当該第１本体部６Ａと当該第２本体部６Ｂ２Ｂを一体に保持するマグネット７Ａと、タッセル２の端部２Ａを掛止する掛止部８Ａとが設けられる。タッセル２の端部２Ａは、タッセル２の一端に縫い込まれたループ状の紐であり、掛止部８Ａはループ状の端部２Ａを掛止できるように概略Ｌ字状の断面を有している。
【００２７】
第２本体部６Ｂのうち第１本体部６Ａと対向する面側には、磁力によって当該第１本体部６Ａと当該第２本体部６Ｂ２Ｂを一体に保持するマグネット７Ｂと、前記タッセル２の一方の端部２Ｂを掛止する掛止部８Ｂとが設けられる。タッセル２の端部２Ｂは、タッセル２の他端に縫い込まれたループ状の紐であり、掛止部８Ｂはループ状の端部２Ｂを掛止できるように概略Ｌ字状の断面を有している。
【００２８】
このマグネット房掛け６は、図５に示されるとおりタッセル２でカーテン１を束ねた状態で第１本体部６Ａと第２本体部６Ｂ２Ｂをマグネット７Ａ、７Ｂの磁力で一体に保持しつつ、タッセル２に所定の力（子供の体重相当）が加わった場合には第１本体部６Ａと第２本体部６Ｂ２Ｂが離脱するようにされている。
【００２９】
［壁面へのマグネット房掛けの固定方法］
次に、マグネット房掛け６の固定方法について説明する。本実施形態ではマグネット房掛け６の使用に先立ち、第１本体部６Ａは図２、図３、図５等に示されるとおり壁面に対してネジや両面粘着テープなどで予め固定される。このようにして固定された第１本体部６Ａに鉛直下向きに５〜６ｋｇ重程度の力がかかった場合であっても、第１本体部６Ａが壁面から剥がれることはない。しかしながら、図３（ｂ）に示されるように第１本体部６Ａに対して第２本体部６Ｂを装着した状態において、第２本体部６Ｂが１ｋｇ重以上の力で鉛直下向き又はその近傍の角度（３０°以内の角度）で引っ張られた場合には、第１本体部６Ａから第２本体部６Ｂが離脱する。このような作用は、第１本体部６Ａのマグネット７Ａ及び第２本体部６Ｂのマグネット７Ｂの磁力を適切に設定するだけで確実に得ることができる。
【００３０】
［タッセルへのマグネット房掛けの装着方法］
次に、マグネット房掛け６の装着方法について説明する。本実施形態のマグネット房掛け６において、タッセル２のループ状の端部２Ａ、２Ｂを掛止するための掛止部８Ａ、８Ｂには、掛止したタッセル２の端部２Ａ、２Ｂが容易に外れないよう脱落防止手段である返し９Ａ、９Ｂが設けられている。よって、例えば、第１本体部６Ａから第２本体部６Ｂが離脱した場合であっても、タッセル２の端部２Ａに第１本体部６Ａは取り付けられたままであり、タッセル２の端部２Ｂに第２本体部６Ｂは取り付けられたままである（図１参照）。よって、本実施形態では、マグネット房掛け６の第１本体部６Ａから第２本体部６Ｂが安全のために離脱した場合（図２（ａ））であっても、壁面から第１本体部６Ａ及びタッセル２を経て第２本体部６Ｂに至る連結状態（図２）は何ら解消されることはなく、これらの部品が床へ落下することはない。また、タッセル２の端部２Ａに装着された樹脂製の第２本体部６Ｂは小型化及び軽量化が可能なので、これがタッセル２の端部２Ａに常に装着されたままぶら下がっていても（図２）、タッセル２の見た目や機能が大幅に損なわれるようなことはない。すなわち、樹脂製である第２本体部６Ｂの重量は軽いので、カーテン１を束ねる際に使用者はタッセル２のループ状の端部２Ｂを手指でつかむ代わりに第２本体部６Ｂを手指でつかめばよいだけであって、第２本体部６Ｂのサイズは小さいので、これがタッセル２の端部２Ｂに取り付けられたままであってもタッセル２の見た目を害する可能性は低い。
【００３１】
［マグネット房掛けのサイズについて］
次に、マグネット房掛け６のサイズについて説明する。本実施形態のマグネット房掛け６において、第１本体部６Ａに設けられた第１掛止部８Ａと第２本体部６Ｂに設けられた第２掛止部８Ｂは、互いに位置をずらして配置されている。例えば第１本体部６Ａに第２本体部６Ｂが装着された状態（図３（ｂ））において、第２第１掛止部８Ｂが第１掛止部８Ａより上側に位置するように、第１本体部６Ａにおける第１掛止部８Ａの位置よりも、第２本体部６Ｂにおける第２第１掛止部８Ｂの位置の方が上側にずらされている。このため、第１本体部６Ａに第２本体部６Ｂを装着した状態（図３（ｂ））において第１掛止部８Ａと第２掛止部８Ｂとが重ならず、マグネット房掛け６の全体の厚みを小さくすることができる。例えば第１本体部６Ａと第２本体部６Ｂとを装着した状態におけるマグネット房掛け６の上下方向の長さは７０ｍｍ、横幅は２０ｍｍ、厚みは１５ｍｍ程度である。したがって、カーテン１を束ねた状態のマグネット房掛け６、すなわち壁面に取り付けられた状態のマグネット房掛け６はコンパクトであり、窓際の雰囲気を害する虞もない（図５）。
【００３２】
［マグネット房掛けの外観について］
次に、マグネット房掛け６の外観について説明する。本実施形態においては、マグネット房掛け６のカラーバリエーションを増やし、窓際の雰囲気に合わせて使用者がマグネット房掛け６のカラーを自由に選択できるようにしてもよい。また、マグネット房掛け６の塗装をメタリック調にし、金属製の窓枠と似た雰囲気のマグネット房掛け６を使用者が選択できるようにしてもよい。したがって、使用者はマグネット房掛け６を適切に選択するだけで窓際の統一感を確保することができる。
【００３３】
［マグネット房掛けの安全性について］
次に、マグネット房掛け６の安全性を高めるための構成について説明する。本実施形態のマグネット房掛け６において、第１掛止部８Ａ又は第２掛止部８Ｂの少なくとも一方側には、他方側である第２掛止部８Ｂ又は第１掛止部８Ａの移動を案内する案内部が設けられている。例えば第２掛止部８Ｂのタッセル側の端部には傾斜状（テーパ状）の案内部１０が形成されているので、第１本体部６Ａに第２本体部６Ｂが装着されているとき（図３（ｂ））に鉛直下向きの荷重がタッセル２にかかった場合、タッセル２を介して鉛直下向きに引っ張られる第２本体部６Ｂの第２掛止部８Ｂが第１掛止部８Ａに引っかかるのを防いでいる。具体的に、第１本体部６Ａに第２本体部６Ｂが装着されているとき（図３（ｂ））に第２本体部６Ｂが１ｋｇ重以上の力で鉛直下向き又はその近傍の角度（３０°以内の角度）で引っ張られた場合には、第２掛止部８Ｂが第１掛止部８Ａを容易に乗り越えて、第１本体部６Ａから第２本体部６Ｂが確実に離脱できるようになっている。
【００３４】
［マグネット房掛けの利便性について］
次に、マグネット房掛け６の利便性を高めるための構成について説明する。本実施形態のマグネット房掛け６において、第１本体部６Ａ又は第２本体部６Ｂ２Ｂのいずれか一方には、相手方となる第２本体部６Ｂ２Ｂ又は第１本体部６Ａが所定の位置に保持されるように位置決めする位置決め部が設けられている。例えば図４（ａ）に示されるとおり第１本体部６Ａの左右端には位置決め部としての凹部１１Ａが設けられており、図４（ｂ）に示されるとおり第２本体部６Ｂの左右端には当該凹部１１Ａに嵌合するフランジ１１Ｂが位置決め部として設けられている。これらの凹部１１Ａ及びフランジ１１Ｂによれば、カーテン１を束ねる際に、第２本体部６Ｂを手指でつまんだ使用者が、第１本体部６Ａに対して第２本体部６Ｂを上側からスライドさせつつ装着し、第１本体部６Ａのマグネット７Ａに第２本体部６Ｂのマグネット７Ｂを容易に正対させることができる（図３（ａ）、図３（ｂ））。
【００３５】
また、第１掛止部８Ａ及び／又は第２掛止部８Ｂの互いに向かい合う面側の角部にはアールが設けられている。例えば、第１掛止部８Ａ第２掛止部８Ｂの互いに向かい合う面側の全ての角部にはアール１３が設けられている。これによって第１本体部６Ａに第２本体部６Ｂを装着する際に、第１本体部６Ａの第１掛止部８Ａの角部と第２本体部６Ｂの第２掛止部８Ｂの角部とがぶつかり合う可能性を抑え、第１本体部６Ａに第２本体部６Ｂをスムーズにスライドさせて装着することができる。その結果、両者を正しい位置できちんと一体にすることができる。また、第１本体部６Ａから第２本体部６Ｂをスライドさせて離脱するのもスムーズである。
【００３６】
従って、使用者は、カーテン１を束ねる際に、第２本体部６Ｂを手指でつかみ、壁面に固定された第１本体部６Ａへ容易に装着することが可能であり、カーテン１を拡げる際に、第２本体部６Ｂを手指でつかみ、壁面に固定された第１本体部６Ａから容易に離脱させることができる。
【００３７】
［実施形態の効果］
次に、マグネット房掛け６の作用効果について説明する。先ず、前述したとおりマグネット房掛け６の使用に当たり第１本体部６Ａは壁面に予めネジや両面粘着テープ等によって固定される。また当該第１本体部６Ａの掛止部８Ａにタッセル２の一端が掛止され、当該タッセル２の他端に第２本体部６Ｂの掛止部８Ｂが掛止される。
【００３８】
次に、カーテン１をタッセル２で束ねるに当たり、使用者は第２本体部６Ｂを手指でつまんでタッセル２でカーテン１を取り巻くようにしてから当該第２本体部６Ｂを壁側の第１本体部６Ａへ磁力で接着させる。この磁力によって、カーテン１を束ねた状態は容易に維持される。また、束ねる際に第２本体部６Ｂは磁力によって第１本体部６Ａの側へ引き寄せされるので、第２本体部６Ｂと第１本体部６Ａとの位置合わせ（装着）は容易である。
【００３９】
そして、カーテン１をタッセル２で束ねた状態では、第１本体部６Ａと第２本体部６Ｂとの対向する面に両者の掛止部８Ａ、８Ｂが位置するので、掛止部８Ａ、８Ｂの少なくとも一方に人の衣服が引っ掛かったり子供の顔や手等が接触したりする事故を防ぐことができる。またタッセル２に磁力を超える荷重がかかると第１本体部６Ａと第２本体部６Ｂとが容易に分離されるので、タッセル２が子供の首に巻き付いても安全を維持できる。
【００４０】
また、カーテン１をタッセル２で束ねていない状態では、第１本体部６Ａ及び第２本体部６Ｂにおける掛止部８Ａ、８Ｂの形成面が露出する可能性もあるが、これらの掛止部８Ａ、８Ｂからタッセル２を外す必要は基本的にないので、図７の引掛部材のように掛止部を突出させる必要がない。このため露出した掛止部８Ａ、８Ｂへ子供が接触するなどして怪我する可能性も容易に抑えられる。
【００４１】
また、本実施形態に係るマグネット房掛け６は、タッセル２の代わりに用いられるのではなく、あくまでもタッセル２に外付けするものなので、例えばカーテン１と共布で構成されたタッセル２や、カーテン１の雰囲気に合ったタッセル２などを有効利用することができ、カーテン１とタッセル２の統一感を損なうことがない。
【００４２】
従って、本実施形態に係るマグネット房掛け６によれば、カーテン１を束ねるという房掛けの本来の機能が高く、しかも見栄えの良さ及び安全性を確保することができるという効果がある。
【００４３】
［変形例］
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【００４４】
例えば、第１本体部６Ａ及び第２本体部６Ｂの互いに正対する部分にテーパ、アールの少なくとも一方を設けることで、第１本体部６Ａに対する第２本体部６Ｂのスライド装着や第１本体部６Ａから第２本体部６Ｂのスライド離脱をスムーズにしてもよい。また、第１本体部６Ａ及び第２本体部６Ｂの互いに互いに正対する部分の一方を台形状断面の凹部、他方を台形状断面の凸部とすることで両者の装着／離脱を容易にしてもよい。
【００４５】
例えば、上述した実施形態では、第１本体部６Ａ及び第２本体部６Ｂのうち前者を壁側に固定したが、後者を壁側に固定してもよい。
【００４６】
例えば、マグネット房掛け６の第２本体部６Ｂの胴部に図６に矢印で示されるようなくびれを設け、使用者が第２本体部６Ｂを手指でつまみやすくしてもよい。
【００４７】
例えば、上述した各図においてはマグネット房掛け６の輪郭に丸みを設けたが、丸みの程度（アール半径）は様々に変更することが可能である。アール半径を小さくすれば、マグネット房掛け６の全体的な印象をシャープにすることができ、アール半径を大きくすれば、マグネット房掛け６の全体的な印象を軟らかくすることができる。
【符号の説明】
【００４８】
１      カーテン
２      タッセル
６      マグネット房掛け
６Ａ    第１本体部
６Ｂ    第２本体部６Ｂ
７Ａ    マグネット
７Ｂ    マグネット
８Ａ      掛止部
８Ｂ      掛止部
９Ａ      返し
９Ｂ      返し
１０    案内部
１１Ａ  凹部
１１Ｂ  フランジ
１３    アール
【図１】
2020031703.tif 000003
【図２】
2020031703.tif 000004
【図３】
2020031703.tif 000005
【図４】
2020031703.tif 000006
【図５】
2020031703.tif 000007
【図６】
2020031703.tif 000008
【図７】
2020031703.tif 000009
【図８】
2020031703.tif 000010
【図９】
2020031703.tif 000011